【手続補正書】
【提出日】平成17年12月1日(2005.12.1)
【手続補正１】
【補正対象書類名】明細書
【補正対象項目名】特許請求の範囲
【補正方法】変更
【補正の内容】
【特許請求の範囲】
【請求項１】有効成分として、相乗作用有効量の
Ａ）式Ｉ
Ａ−ＣＯ−ＮＲ1Ｒ2  （Ｉ）
｛式中、
Ａは、アリール基または１〜３個のＯ、ＮおよびＳから選択される異種原子を有する芳香族または非芳香族の５−または６−員環の複素環を表し、このアリール基または複素環は、互いに関係なく、アルキル、ハロゲン、ＣＨＦ2、ＣＦ3、アルコキシ、ハロアルコキシ、アルキルチオ、アルキルスルフィニルおよびアルキルスルホニルから選択される置換基を１、２または３個有していてもいなくてもよく、
Ｒ1は、水素原子を表し、
Ｒ2は、フェニル基またはシクロアルキル基（これらの基は、互いに関係なく、アルキル、アルケニル、アルキニル、アルコキシ、アルケニルオキシ、アルキニルオキシ、シクロアルキル、シクロアルケニル、シクロアルキルオキシ、シクロアルケニルオキシ、フェニルおよびハロゲンから選択される置換基を１、２または３個有していてもいなくてもよい。）を表し、このときの脂肪族基および脂環式の基は部分的にまたは完全にハロゲン化されていてもよく、および／または、脂環式の基は１〜３個のアルキル基で置換されていてもよく、フェニル基は１〜５個のハロゲン原子および／または互いに関係なくアルキル、ハロアルキル、アルコキシ、ハロアルコキシ、アルキルチオ、およびハロアルキルチオから選択される１〜３個の置換基を有していてもよく、アミド化物のフェニル基は飽和５員環（飽和５員環は１個以上のアルキル基で置換されていてもいなくてもよく、および／またはＯおよびＳから選択される１個の異種原子を有していてもよい。）と縮合していてもいなくてもよい。｝、
で表されるアミド化合物と、
ｂ）化合物ＩＩ．１〜ＩＩ．１７
１−［（２ＲＳ，４ＲＳ；２ＲＳ，４ＳＲ）−４−ブロモ−２−（２，４−ジクロロフェニル）−テトラヒドロフリル］−１Ｈ−１，２，４−トリアゾール（ＩＩ．１）、
２−（４−クロロフェニル）−３−シクロプロピル−１−（１Ｈ−１，２，４−トリアゾール−１−イル）ブタン−２−オール（ＩＩ．２）、
（±）−３−クロロ−４−［４−メチル−２−（１Ｈ−１，２，４−トリアゾール−１−イルメチル）−１，３−ジオキソラン−２−イル］フェニル４−クロロフェニルエーテル（ＩＩ．３）、
（Ｅ）−（Ｒ,Ｓ）−１−（２，４−ジクロロフェニル）−４，４−ジメチル−２−（１Ｈ−１，２，４−トリアゾール−１−イル）ペンタ−１−エン−３−オール（ＩＩ．４）、
（Ｚ）−２−（１Ｈ−１，２，４−トリアゾール−１−イルメチル）−２−（４−フルオロフェニル）−３−（２−クロロフェニル）−オキシラン（ＩＩ．５）、
４−（４−クロロフェニル）−２−フェニル−２−（１Ｈ−１，２，４−トリアゾリルメチル）ブチロニトリル（ＩＩ．６）、
３−（２，４−ジクロロフェニル）−６−フルオロ−２−（１Ｈ−１，２，４−トリアゾール−１−イル）キナゾリン−４（３Ｈ）−オン（ＩＩ．７）、
ビス（４−フルオロフェニル）（メチル）（１Ｈ−１，２，４−トリアゾール−１−イルメチル）シラン（ＩＩ．８）、
（Ｒ，Ｓ）−２−（２，４−ジクロロフェニル）−１−（１Ｈ−１，２，４−トリアゾール−１−イル）ヘキサン−２−オール（ＩＩ．９）、
（１ＲＳ，５ＲＳ；１ＲＳ，５ＳＲ）−５−（４−クロロベンジル）−２，２−ジメチル−１−（１Ｈ−１，２，４−トリアゾール−１−イルメチル）シクロペンタノール（ＩＩ．１０）、
Ｎ−プロピル−Ｎ−［２−（２，４，６−トリクロロフェノキシ）エチル］イミダゾール−１−カルボキサミド（ＩＩ．１１）、
（±）−１−［２−（２，４−ジクロロフェニル）−４−プロピル−１，３−ジオキソラン−２−イルメチル］−１Ｈ−１，２，４−トリアゾール（ＩＩ．１２）、
（Ｒ，Ｓ）−１−（４−クロロフェニル）−４，４−ジメチル−３−（１Ｈ−１，２，４−トリアゾール−１−イルメチル）ペンタン−３−オール（ＩＩ．１３）、
（±）−２−（２，４−ジクロロフェニル）−３−（１Ｈ−１，２，４−トリアゾリル）プロピル１，１，２，２−テトラフルオロエチルエーテル（ＩＩ．１４）、および、
（Ｅ）−１−［１−［［４−クロロ−２−（トリフルオロメチル）フェニル］イミノ］−２−プロポキシエチル］−１Ｈ−イミダゾール（ＩＩ．１５）、
（ＲＳ）−２，４´−ジフルオロ−α−（１Ｈ−１，２，４−トリアゾール−１−イルメチル）ベンズヒドリルアルコール（ＩＩ．１６）、
２−ｐ−クロロフェニル−２−（１Ｈ−１，２，４−トリアゾール−１−イルメチル）ヘキサンニトリル（ＩＩ．１７）、
からなる群から選択されるアゾール誘導体ＩＩと、
を含む殺菌剤混合物。
【請求項２】式Ｉにおいて、基Ａが以下の群、すなわち、
フェニル、ピリジル、ジヒドロピラニル、ジヒドロオキサチイニル、ジヒドロオキサチイニルオキシド、ジヒドロオキサチイニルジオキシド、フリル、チアゾリル、ピラゾリルまたはオキサゾリル（これらの基は、互いに関係なく、アルキル、ハロゲン、ジフルオロメチルおよびトリフルオロメチルから選択される置換基を１、２または３個有していてもよい）、
からなる群、のうちの１種であることを特徴とする、請求項１に記載の殺菌剤混合物。
【請求項３】式Ｉにおいて、基Ａが以下の群、すなわち、
ピリジン−３−イル（２−位がハロゲン、メチル、ジフルオロメチル、トリフルオロメチル、メトキシ、メチルチオ、メチルスルフィニルまたはメチルスルホニルで置換されていてもいなくともよい。）、
フェニル（２−位がメチル、トリフルオロメチル、塩素、臭素またはヨウ素で置換されていてもいなくてもよい。）、
２−メチル−５，６−ジヒドロピラン−３−イル、
２−メチル−５，６−ジヒドロ−１，４−オキサチイン−３−イル、またはその４−オキシドまたは４，４−ジオキシド、
２−メチルフラン−３−イル（４−および／または５−位がメチルで置換されていてもいなくてもよい。）、
チアゾール−５−イル（２−および／または４−位がメチル、塩素、ジフルオロメチルまたはトリフルオロメチルで置換されていてもいなくてもよい。）、
チアゾール−４−イル（２−および／または５−位がメチル、塩素、ジフルオロメチルまたはトリフルオロメチルで置換されていてもいなくてもよい。）、
１−メチルピラゾール−４−イル（３−および／または５−位がメチル、塩素、ジフルオロメチルまたはトリフルオロメチルで置換されていてもいなくてもよい。）、または、
オキサゾール−５−イル（２−および／または４−位がメチルまたは塩素で置換されていてもいなくてもよい。）、
からなる群、のうちの１種であることを特徴とする、請求項１に記載の殺菌剤混合物。
【請求項４】Ｒ2がフェニル基（１、２または３個の請求項１に記載の置換基で置換されていてもいなくてもよい。）である式Ｉの化合物を含むことを特徴とする、請求項１〜３のいずれかに記載の殺菌剤混合物。
【請求項５】Ｒ2が、以下の置換基、すなわち、
Ｃ3−Ｃ6−アルキル、Ｃ5−Ｃ6−シクロアルケニル、Ｃ5−Ｃ6−シクロアルキルオキシ、シクロアルケニルオキシ（これらの基は、１、２または３個のＣ1−Ｃ4−アルキル基で置換されていてもよい。）、 １〜５個のハロゲン原子、および／または、互いに関係なく、Ｃ1−Ｃ4−アルキル、Ｃ1−Ｃ4−ハロアルキル、Ｃ1−Ｃ4−アルコキシ、Ｃ1−Ｃ4−ハロアルコキシ、Ｃ1−Ｃ4−アルキルチオ、およびＣ1−Ｃ4−ハロアルキルチオから選択される１〜３個の基により置換されているフェニル、からなる置換基のうちの１つを２−位に有するフェニル基であるか、
またはＲ2がインダニル基またはオキサインダニル基（１、２または３個のＣ1−Ｃ4−アルキルで置換されていてもいなくてもよい。）、
であることを特徴とする、請求項４に記載の殺菌剤混合物。
【請求項６】以下の式Ｉａ
【化１】
2001526187.tif 000001
（式中、
Ａは、
【化２】
2001526187.tif 000002
を表し、
Ｘは、メチレン、イオウ、スルフィニル、またはスルホニル（ＳＯ2）を表し、
Ｒ3は、メチル、ジフルオロメチル、トリフルオロメチル、塩素、臭素またはヨウ素を表し、
Ｒ4は、トリフルオロメチルまたは塩素を表し、
Ｒ5は、水素またはメチルを表し、
Ｒ6は、メチル、ジフルオロメチル、トリフルオロメチルまたは塩素を表し、
Ｒ7は、水素、メチルまたは塩素を表し、
Ｒ8は、メチル、ジフルオロメチルまたはトリフルオロメチルを表し、
Ｒ9は、水素、メチル、ジフルオロメチル、トリフルオロメチルまたは塩素を表し、
Ｒ10は、Ｃ1−Ｃ4−アルキル、Ｃ1−Ｃ4−アルコキシ、Ｃ1−Ｃ4−アルキルチオまたはハロゲンを表す。）
で表されるアミド化合物を含むことを特徴とする、請求項１〜５のいずれかに記載の殺菌剤混合物。
【請求項７】アミド化合物として、以下の式Ｉｂ
【化３】
2001526187.tif 000003
（式中、Ｒ4は、ハロゲンを表し、
Ｒ11は、ハロゲンで置換されているフェニルを表す。）
で表される化合物を含むことを特徴とする、請求項１〜５のいずれかに記載の殺菌剤混合物。
【請求項８】アミド化合物として、以下の式
【化４】
2001526187.tif 000004
で表される化合物を含むことを特徴とする、請求項１に記載の殺菌剤混合物。
【請求項９】一方には固体または液体の担体中にアミド化合物Ｉを含み、他方には固体または液体の担体中に式ＩＩ．１〜ＩＩ．１７の中のアゾールを含むように、２つに分けて調製されることを特徴とする、請求項１〜８のいずれかに記載の殺菌剤混合物。
【請求項１０】菌類および菌類の生息場所、または菌類の攻撃から防護すべき資材、植物、種子、土壌、地面または空間を、請求項１〜９のいずれかに記載の殺菌剤混合物で処理することを含む有害な菌類の防除方法であって、有効成分であるアミド化合物Ｉおよび式ＩＩ．１〜ＩＩ．１７の中のアゾールを同時に施用、すなわち併合または別々のいずれかにより施用するか、または連続して施用することを特徴とする、有害な菌類の防除方法。
【手続補正２】
【補正対象書類名】明細書
【補正対象項目名】０００８
【補正方法】変更
【補正の内容】
【０００８】
（±）−３−クロロ−４−［４−メチル−２−（１Ｈ−１，２，４−トリアゾール−１−イルメチル）−１，３−ジオキソラン−２−イル］フェニル４−クロロフェニルエーテル（ＩＩ．３）、